(57)【要約】  本明細書は、少なくとも１つの病原体低減化収集容器を備える装置と、この装置を使用する方法とを開示しており、前記少なくとも１つの病原体低減化収集容器は、少なくとも３つのチューブ取り付けポイントを備える少なくとも１つの分配器（２、３）を介して少なくとも１つの非無菌化廃棄物処分部位（１６）と流体接続している。
2020506762.tif 000002
【特許請求の範囲】
【請求項１】
少なくとも１つの病原体低減化収集容器を備える装置であって、
前記少なくとも１つの病原体低減化収集容器は、
−少なくとも３つのチューブ取り付けポイントを備える少なくとも１つの分配器と、
−少なくとも３つのチューブであって、前記少なくとも３つのチューブのうち１つが、前記収集容器（１）を、前記少なくとも１つの分配器の前記少なくとも３つのチューブ取り付けポイントのうちの第１のチューブ取り付けポイントと接続する、少なくとも３つのチューブと、
を介して少なくとも１つの非無菌化廃棄物処分部位（１６）と流体接続しており、
−第２のチューブ（１０）は、前記少なくとも１つの分配器の前記少なくとも３つのチューブ取り付けポイントのうちの第２のチューブ取り付けポイントを、前記非無菌化廃棄物処分部位（１６）と接続し、
−前記３つのチューブのうちの第３のチューブ（１１）は、前記少なくとも１つの分配器の前記少なくとも３つのチューブ取り付けポイントのうちの第３のチューブ取り付けポイントを、前記第２のチューブの少なくとも一部（１０）を除染するための衛生化媒体を備える少なくとも１つの衛生化源と接続する、
装置。
【請求項２】
前記収集容器（１）の流体を前記非無菌化廃棄物処分部位（１６）に、前記衛生化媒体を前記第２のチューブ（１０）の少なくとも一部を通じて、それぞれポンピングする少なくとも１つのポンプを更に備え、少なくとも３つのチューブ取り付けポイントを備える前記少なくとも１つの分配器が、流体の流れを分配するためのＴピース（２、３）および／またはＹピースおよび／または三方弁を備える、請求項１に記載の装置。
【請求項３】
少なくとも３つのチューブ取り付けポイントを備える前記少なくとも１つの分配器が、少なくとも２つの弁（５、７）、結合二重弁、および少なくとも１つのポンプ、Ｔピース（２、３）、Ｙピース、多方弁、複数の弁として作用する少なくとも２つのポンプ、からなる群から選択される構成要素を更に備える、請求項１〜２のいずれか一項に記載の装置。
【請求項４】
エアギャップが、前記少なくとも１つの非無菌化廃棄物処分部位（１６）と、前記少なくとも１つの分配器の前記少なくとも３つのチューブ取り付けポイントのうちの前記第２のチューブ取り付けポイントを前記非無菌化廃棄物処分部位（１６）と接続する前記第２のチューブ（１０）と、の間に存在する、請求項１〜３のいずれか一項に記載の装置。
【請求項５】
前記装置は、少なくとも３つのチューブ取り付けポイントを備える少なくとも２つの分配器を備え、前記分配器の各々は、２つの弁を備える、ことを特徴とする請求項１〜４いずれか一項に記載の装置。
【請求項６】
前記非無菌化廃棄物処分部位（１６）が、ドレインであり、前記装置が、３つのポンプと、少なくとも３つのチューブ取り付けポイントを備える２つの分配器とを備え、前記分配器の各々が、２つの弁を備えることにより、前記収集容器（１）から前記分配器および前記２つの分配器のうちの１つを通じて前記ドレインへの流れを中断させないことを可能にし、かつ、他方の分配器の前記第２および第３のチューブを同時に除染することを可能にする、ことを特徴とする、請求項１〜５のいずれか一項に記載の装置。
【請求項７】
前記流体の流れと接触する全ての構成要素が、使い捨て可能な物品であるか、または使い捨て可能な物品として使用される、請求項１〜６のいずれか一項に記載の装置。
【請求項８】
請求項１〜７のいずれか一項に記載の１つ以上の装置を備える生産プラント。
【請求項９】
請求項１〜７のいずれか一項に記載の装置を用いて、微生物低減化または無菌化プロセスから非無菌化廃棄物を除去する方法。
【請求項１０】
微生物低減化または無菌化プロセスからの非無菌化廃棄物除去を開始する前に、前記装置を衛生化媒体でフラッシュする、請求項９に記載の微生物低減化または無菌化プロセスから非無菌化廃棄物を除去する方法。
【発明の詳細な説明】
【技術分野】
【０００１】
例えば医薬物品の製造プロセスといった種々のプロセスは、閉鎖された状態、病原体が低減された状態、または無菌化状態さえも必要とする。そのようなプロセスで使用されるが、もはや必要とされない構成要素および材料は、通常、廃棄物容器、例えば病原体低減化されたかまたはプロセスとの滅菌接続さえされた、滅菌化バッグへ導かれる。バッグが満杯になったら、これを除去しなければならない。すなわち、病原体低減化状態下または無菌化状態下であってもプロセスから分離しなければならず、新規の廃棄物容器を、病原体低減化状態または無菌化状態ですらあっても、維持しながら接続しなければならない。
【背景技術】
【０００２】
しかしながら、このプロセスは、特に全ての品目が無菌化されなければならないので、経験のないユーザによって取り扱われる場合および高価である場合、時間がかかり、退屈であり、かつ誤りを引き起こす可能性がある。
【０００３】
あるいは、製造プロセスが廃棄物流れをもたらす場合、この廃棄物流れは、原理的に、電気化学的酸化、低圧力酸化（ＬＯＰＲＯＸ）、またはオゾン化といった方法を用いて、衛生化および／または消毒され得る。無菌性を維持するためにはプロセスを閉じなければならず、記載された方法の全ては、ガスおよび／または気泡形成のリスクを伴う。これは、閉じたプロセスからガスおよび気泡を除去することが困難であり、かつ時間がかかる可能性があるので、不利である。
【０００４】
更に、微生物低減化環境を確実にするために、水槽からの水へＵＶ−Ｃを照射する方法が、当該技術分野で知られている。
【０００５】
加えて、無菌化に１２１℃の温度を使用する流入式オートクレーブ装置が利用可能である。
【０００６】
あるいは、廃棄物流れは、並列、交互、順番、またはこれらの設定の組み合わせで取り付けられた、いくつかの無菌化フィルタを介してプロセスより除去することができる。しかしながら、このようなアプローチは、無菌化フィルタのための高材料コストおよび維持コスト、ならびに沈殿物があればフィルタが容易に封鎖されるという事実のため、高価である。
【発明の概要】
【発明が解決しようとする課題】
【０００７】
したがって、病原体低減化または無菌化プロセスからの、より迅速、より効率的、かつコスト低減化廃棄物の除去を可能にする、単純化されたシステムに対する必要性が存在する。
【課題を解決するための手段】
【０００８】
当初、驚くべきことに、これらの目的は、廃棄物処分部位の投入側が病原体低減化および／または無菌化されているが、廃棄物処分部位それ自体ならびにその出口が無菌化および／または病原体低減化である必要がないシステムによって、達成できることが初めてわかった。
【発明を実施するための形態】
【０００９】
本発明の一態様では、少なくとも１つの病原体低減化収集容器を備える装置に関し、少なくとも１つの病原体低減化収集容器は、
−少なくとも３つのチューブ取り付けポイントを備える少なくとも１つの分配器と、
−少なくとも３つのチューブであって、少なくとも３つのチューブのうちの１つが、収集容器（１）を、少なくとも１つの分配器の該少なくとも３つのチューブ取り付けポイントのうちの第１のチューブ取り付けポイントと接続する、少なくとも３つのチューブと、
を介して少なくとも１つの非無菌化廃棄物処分部位（１６）と流体接続しており、
−第２のチューブ（１０）は、少なくとも１つの分配器の該少なくとも３つのチューブ取り付けポイントのうちの第２のチューブ取り付けポイントを、非無菌化廃棄物処分部位（１６）と接続し、
−３つのチューブのうちの第３のチューブは、少なくとも１つの分配器の該少なくとも３つのチューブ取り付けポイントのうちの第３のチューブ取り付けポイントを、第２のチューブの少なくとも一部（１０）を除染するための衛生化媒体を備える少なくとも１つの衛生化源と接続する。
【００１０】
非無菌化状態下、すなわち収集容器（１）が病原体低減化のままである必要がない条件下において、収集容器（１）と廃棄物処分部位との間の直接的な流体接続は、単純なチューブであってもよい。しかしながら、収集容器と接続された（上流）製造プロセスの病原体低減化状態を確保するために、収集容器（１）内の状態を病原体低減化し、かつ可能であれば無菌化する必要があるため、収集容器（１）、または非無菌化廃棄物処分部位（１６）を介して収集容器（１）に至るチューブへ混入する危険性を、排除または少なくとも最小限に抑える必要がある。
【００１１】
驚くべきことに、該リスクは、収集容器と接続された少なくとも３つのチューブ取り付けポイント、少なくとも１つの非無菌化廃棄物処分部位（１６）、および、衛生化源（４）に備わる衛生化媒体との組み合わせられた該衛生化源とを備える分配器を使用することによって、最小化できることがわかった。この分配器は、少なくとも１つの非無菌化廃棄物処分部位（１６）との流体接続を可能にし、それによって、無菌化および／または病原体低減化プロセスからの、より速く、より効率的、かつコスト低減された廃棄物除去を可能にする。同時に、少なくとも１つの非無菌化廃棄物処分部位（１６）を介して、収集容器（１）または収集容器（１）へ通じるチューブに入る汚染のリスクが、必要に応じて、例えば一定の時間間隔で、または汚染の閾値に達したときに、第２および第３のチューブの少なくとも一部を除染するために使用される、少なくとも１つの衛生化源に備わる衛生化媒体による消毒によって、最小化および／または除去される。
【００１２】
本明細書で使用する場合、表現「少なくとも１つ」とは、１つ以上を意味する。
【００１３】
また、本明細書で使用する場合、用語「その（ｔｈｅ）」、「ひとつの（ａ）」、または「ひとつの（ａｎ）」とは、単数形だけでなく複数形である「少なくとも１つ（ａｔ  ｌｅａｓｔ）」も包含すると理解され、かつ明確に反対の指示がない限り、「１つのみ（ｏｎｌｙ  ｏｎｅ）」に限定されるべきではないことを理解されたい。
【００１４】
本明細書で使用する場合、用語「少なくとも３つ  チューブ取り付けポイントを備える分配器」とは、収集容器（１）と少なくとも１つの非無菌化廃棄物処分部位（１６）との間の流体接続の制御を可能にする装置を指す。換言すれば、少なくとも３つのチューブ取り付けポイントを備える分配器を調節することによって、収集容器（１）から少なくとも１つの非無菌化廃棄物処分部位（１６）への流体流の流量を制御することができ、例えば所与の時点（ｉ）において、流体の流れが収集容器（１）から少なくとも１つの非無菌化廃棄物処分部位（１６）へ流れるように除染することができる。所与の時点（ｉｉ）で、流体流は、少なくとも３つのチューブ取り付けポイントを備える分配器においておよび／またはその中で停止し、かつ衛生化媒体は、少なくとも３つのチューブ取り付けポイントを備える分配器を介して、衛生化源（４）から少なくとも１つの非無菌化廃棄物処分部位（１６）へ流れることによって、少なくとも第２および第３のチューブを除染する。
【００１５】
その上、少なくとも３つのチューブ取り付けポイントを備える分配器は、流体流の分配を可能にする。これは、少なくとも３つのチューブ取り付けポイントを備える分配器備わる、例えば、Ｔピースおよび／またはＹピースおよび／または三方弁および／または多方弁を介して達成される。換言すれば、Ｔピースの場合、例えば該Ｔピースの３つのアームは、分配器の３つのチューブ取り付けポイントを表す。
【００１６】
本明細書で使用する場合、用語「流体接続」とは、本明細書に記載される装置の収集容器（１）に含有される流体が、再収集されることなく、少なくとも１つの非無菌化廃棄物処分に入ることができるという事実を指す。
【００１７】
本明細書で使用する場合、用語「チューブ」とは、用語「チュービング」または「チュービングのライン」と交換可能に使用される。
【００１８】
本明細書で使用する場合、用語「流体流（ｆｌｕｉｄ  ｓｔｒｅａｍ）」または「流体の流れ（ｆｌｕｉｄ  ｆｌｏｗ）」とは、塩、凝結、沈殿、または結晶のような固体を含有し得る液体および／または気体の流れを指す。したがって、少なくとも３つのチューブ取り付けポイントを備える少なくとも１つの分配器を介して、少なくとも１つの収集容器（１）から少なくとも１つの非無菌化廃棄物処分部位（１６）へ流れる廃棄物流れは、流体流の一例である。
【００１９】
本明細書で使用する場合、用語「非無菌化廃棄物処分」とは、収集容器（１）の廃棄物が移送され、かつ該廃棄物が処分されるような、無菌化および／または病原体低減化されていない構成要素を指す。
【００２０】
そのような非無菌化廃棄物処分の例は、ドレインである。該ドレインは、入口として漏斗を備えることができる。
【００２１】
本明細書で使用する場合、用語「収集容器」とは、本明細書に記載される装置が接続され得る１つ以上のユニット操作から生じる廃棄物が収集され得る容器を指す。
【００２２】
好ましい実施形態では、該収集容器（１）は、無菌化可能プラスチックバッグ、プラスチック容器、無菌化可能３Ｄバッグ、または閉鎖ステンレス鋼容器からなる群から選択される。
【００２３】
好ましくは、収集容器（１）は、形態安定性であり、無菌化可能で、かつ使い捨て可能なプラスチックバッグである。
【００２４】
例えば、該収集容器（１）は、１〜１０００リットル、１０〜３００リットル、最も好ましくは２０〜２００リットルを保持してもよい。
【００２５】
例えば、収集容器（１）は、ガンマ線照射された２００リットルのＳａｒｔｏｒｉｕｓ  Ｆｌｅｘｅｌである。
【００２６】
収集容器（１）のタイプおよび充填速度は、収集容器（１）のオーバーフローを避けるために、廃棄物処分部位への少なくとも３つの取り付けポイントを備える分配器を介して、収集容器（１）から流体が流れるべき速度を判定する。
【００２７】
本明細書で使用する場合、用語「病原体低減化（ｐａｔｈｏｇｅｎ−ｒｅｄｕｃｅｄ）」は、「微生物低減化（ｍｉｃｒｏｂｅ−ｒｅｄｕｃｅｄ）」および「細菌低減化（ｇｅｒｍ−ｒｅｄｕｃｅｄ）」と交換可能に使用され、かつ低減した病原体数の状態、すなわち、好適な細菌低減化方法によって達成可能である０に近い面積または体積単位当たりの病原体数の状態を指す。この細菌低減化方法は、ガンマ線照射、ベータ線照射、オートクレーブ処理、エチレンオキシド（ＥＴＯ）処理、オゾン処理、「Ｓｔｅａｍ−Ｉｎ−Ｐｌａｃｅ」（ＳＩＰ）、ならびに／または「病原体還元」および／もしくはＨｅａｔ  ｉｎ  Ｐｌａｃｅ処理、または１ＭのＮａＯＨのような衛生化剤による処理から選択することができる。
【００２８】
本明細書で使用する場合、用語「衛生化源（ｓａｎｉｔｉｚａｔｉｏｎ  ｓｏｕｒｃｅ）」とは、液体または気体の形態で衛生化媒体を保持するタンクおよび／またはリザーバである。
【００２９】
衛生化媒体の一例は、１ＭのＮａＯＨ溶液である。
【００３０】
本明細書で使用する場合、用語「衛生化」または「除染」とは、無菌化および／または病原体低減化された状態を達成するプロセスを指す。これは必ずしも所定の材料の洗浄を伴うものではない。
【００３１】
代わりに、除染は、病原体または汚染を不活性化または破壊することによって達成され得る（「消毒」）。しかしながら、除染とはまた、病原体または汚染物質を不活性化または破壊することと、該病原体または汚染物を除去すること、すなわち材料を洗浄することと、の両方も指す。
【００３２】
一般的に、除染の必要条件は、衛生化媒体のタイプおよび第２のチューブの特性（１０）によって決まる。これは、衛生化媒体の選択に起因して、特に第２のチューブ（１０）を確実に除染するために必要な時間が変化し得るような場合である。例えば、除染は、第２および第３のチューブ（１０、１１）を、それらの保持体積の１０倍の衛生化媒体でフラッシュすることによって達成することができる。
【００３３】
通常、第２のチューブ（１０）の少なくとも一部は、少なくとも１つの非無菌化廃棄物処分部位（１６）を経由して、収集容器（１）または収集容器（１）へ至るチューブに入る汚染物質のリスクを除去または最小化するために、衛生化媒体で除染しなければならない。しかしながら、チューブの中を流れる流体のタイプ、少なくとも１つの非無菌化廃棄物処分部位（１６）のタイプ、除染間の時間間隔の長さ、および収集容器（１）と少なくとも１つの非無菌化廃棄物処分部位（１６）との間のチュービングの長さといった要因に応じて、装置の他の部分の除染もまた、必要および／または有利であり得る。収集容器（１）は一般に配置される流体を含んでなるので、本明細書に記載の装置の上流のユニット操作へ干渉することなく、第１のチューブ（９）を、それに応じて少なくとも３つのチューブ取り付けポイントを備える分配器の設定を準備することによって、除染することも通常可能であるべきである。
【００３４】
本明細書で使用する場合、用語「ユニット」または「ユニット操作」とは、製造プロセス、例えば、生物薬剤学的かつ生物学的高分子製品の生産プロセスにおける１つのプロセスステップを行う装置、ならびにその特定の装置が行うプロセスを指す。
【００３５】
本明細書に記載の装置は、収集容器（１）から廃棄物処分部位への流体の流れを可能にするために、必ずしも１つ以上のポンプを必要としない。代わりに、例えば、収集容器（１）および衛生化源（４）を廃棄物処分部位の上に配置することによって、重力で流体の流れを達成することができる。このような設定において、静水圧は、少なくとも３つのチューブ取り付けポイントを備える分配器を介して、収集容器（１）から廃棄物処分部位への流体の流れを可能にする。
【００３６】
装置が収集容器（１）から廃棄物処分部位への流体の流れを可能にするポンプを必要としないような、本明細書に記載の装置の好ましい実施形態では、装置は、プロセス制御を可能にし、かつ収集容器（１）がオーバーフローしないことを確実にする、流量センサおよび／またはレベルセンサ、例えばスケールを備える。
【００３７】
一実施形態では、本明細書に記載される装置は、第３および第２のチューブ（１０）をそれぞれ介して、少なくとも１つの非無菌化廃棄物処分部位（１６）および衛生化媒体へ、収集容器（１）の流体をポンピングする、少なくとも１つのポンプを備える。
【００３８】
ポンプは流体の逆流を防止することが好ましい。
【００３９】
装置のこの実施形態の一例では、１つのポンプは、廃棄物処分部位の近くの第２のチュービングに配置される。したがって、少なくとも３つの取り付けポイントを備える分配器の第１の設定において、このポンプは、第１のチューブ（９）および第２のチューブ（１０）を介して収集容器（１）から廃棄物処分部位へ流体を吸引することができる。続いて、少なくとも３つの取り付けポイントを備える分配器の第２の設置において、第１のチューブ（９）は廃棄物処分部位と直接接続されず、代わりに第３のチューブ（１１）は廃棄物処分部位と直接接続され、したがって、ポンプは、第３および第２のチューブ（１０）を介して衛生化源（４）からの廃棄物処分部位へ衛生化媒体を吸引する。
【００４０】
一実施形態では、本明細書に記載される装置は、少なくとも２つのポンプを備える。
【００４１】
この実施形態の一例では、装置は、２つのポンプを備える。ここで、第２のポンプは、収集容器内の流体を混合するために使用され、それによって、少なくとも１つの非無菌化廃棄物処分部位（１６）に通じるチューブといった装置の部分を潜在的にブロックし得る、粒子形成のリスクを最小限にする。
【００４２】
更に、装置は、２つ以上のポンプ、例えば３つまたは４つのポンプを備えることができる。
【００４３】
一実施形態では、少なくとも３つのチューブ取り付けポイントを備える少なくとも１つの分配器は、流体流を分配するためのＴピースおよび／またはＹピースおよび／または三方弁を備える。
【００４４】
一実施形態では、少なくとも３つのチューブ取り付けポイントを備える少なくとも１つの分配器が、少なくとも２つの弁、結合二重弁、および少なくとも１つのポンプ、Ｔピース（２、３）、Ｙピース、多方弁、複数の弁として作用する少なくとも２つのポンプ、からなる群から選択される構成要素を更に備える。
【００４５】
収集容器（１）から非無菌化廃棄物処分部位（１６）への流体流を制御し、かつ除染可能とするために、少なくとも３つのチューブ取り付けポイントを備える少なくとも１つの分配器の異なるタイプを組み合わせることは、明記されるべきである。
【００４６】
少なくとも３つのチューブ取り付けポイントを備える分配器がＴピースまたはＹピースである場合、少なくとも３つのチューブ取り付けポイントを備える分配器は、流体の流れを制御するために、少なくとも１つの三方弁、少なくとも１つの結合二重弁、および少なくとも１つのポンプ、または少なくとも２つの弁、または少なくとも２つのポンプを更に備えることが好ましい。
【００４７】
結合二重弁では、一方の流路が常に開放され、他方の流路が閉鎖されるので、ポンプは、ＴピースまたはＹピースの３つのアーム全てを通る流体の流れが制御されることを保証する。
【００４８】
したがって、少なくとも３つのチューブ取り付けポイントを備える分配器がＴピースとして実現される場合、装置は、例えば以下の通りに構成することができる：第１のチューブ（９）は、収集容器（１）を該Ｔピース（２、３）の第１のアームへ接続し、第２のチューブ（１０）は、Ｔピース（２、３）の第２のアームを非無菌化廃棄物処分部位（１６）へ接続し、該チュービングの３つの部分のうちの第３の部分は、必要に応じて、第２のチューブ（１０）の少なくとも一部を除染する衛生化媒体を備えた少なくとも１つの衛生化源と、Ｔピース（２、３）の第３のアームを接続する。動作中、流体流は、第１のチューブ（９）、Ｔピース（２、３）、および第２のチューブ（１０）を介して、収集容器（１）から非無菌化廃棄物処分部位（１６）へ流入することができる。同様に、衛生化媒体は、第３のチューブ（１１）および第２のチューブ（１０）を介して、衛生化源（４）から非無菌化廃棄物処分部位（１６）へ流れ、それによって第２のチューブ（１０）を除染することができる。上述したように、この設定において、衛生化媒体は、第１のチューブ（９）にも流入するかどうか、またはどの程度まで流入するか、および収集容器（１）から第３のチューブ（１１）へどの程度まで流入するかを制御するために、装置は、少なくとも１つの三方弁、結合二重弁、および少なくとも１つのポンプ、または少なくとも２つの弁、または少なくとも２つのポンプを更に備えることが好ましい。しかしながら、収集容器（１）は通常、廃液を含有しているため、一般に、衛生化媒体が収集容器へ流入した場合にも、装置を作動させることができる。
【００４９】
更に、少なくとも３つのチューブ取り付けポイントを備える分配器がＴピース（２、３）として実現され、かつ少なくとも２つの弁を備える場合、装置は、例えば以下の通りに構成することができる：第１のチューブ（９）は、該少なくとも２つの弁のうちの第１の弁を介して、収集容器（１）を該Ｔピース（２、３）の第１のアームへ接続し、第２のチューブ（１０）は、該Ｔピース（２、３）の第２のアームを非無菌化廃棄物処分部位（１６）へ接続し、該チュービングの３つの部分のうちの第３の部分は、必要であれば、第２の弁を介して、第２のチューブ（１０）の少なくとも一部を除染する衛生化媒体を備えた少なくとも１つの衛生化源と、非無菌化廃棄物処分部位（１６）を接続する。動作中、流体流は、第１のチューブ（９）を介して収集容器（１）から該少なくとも２つの弁のうち第１の弁へ流れることができる。この第１の弁が開放され、かつ第２の弁が閉鎖されると、流体流は、第２のチューブ（１０）を介して非無菌化廃棄物処分部位（１６）へ更に流入することができる。第１の弁が閉鎖され、第２の弁が開放されている場合、流体流は停止され、衛生化媒体は、第３のチューブ（１１）および第２の弁を介して衛生化源（４）から非無菌化廃棄物処分部位（１６）へ流れることができ、それによって第２のチューブ（１０）が除染される。
【００５０】
その上、少なくとも３つのチューブ取り付けポイントを備える分配器がＴピース（２、３）として実現され、かつ三方弁を備える場合、装置は、例えば以下の通りに構成することができる：第１のチューブ（９）は、該三方弁の第１の弁を介して少なくとも３つのチューブ取り付けポイントを備える分配器を収集容器（１）と接続し、第２のチューブ（１０）は、該三方弁の第２の弁を介して少なくとも３つのチューブ取り付けポイントを備える分配器と非無菌化廃棄物処分部位（１６）を接続し、そして該チュービングの３つの部分のうちの第３の部分は、必要であれば、該三方弁の第３の弁を介して、少なくとも３つのチューブ取り付けポイントを備える分配器と、第２のチューブ（１０）の少なくとも一部を除染する衛生化媒体を備えた少なくとも１つの衛生化源を接続する。動作中、流体流は、第１のチューブ（９）を介して収集容器（１）から該三方弁の第１の弁へ流れることができる。この第１および第２の弁が開放され、かつ該三方弁の第３の弁が閉鎖されると、流体流は、第２のチューブ（１０）を介して非無菌化廃棄物処分部位（１６）へ更に流入することができる。第１の弁が閉鎖され、第２および第３の弁が開放されている場合、流体流は停止され、衛生化媒体は、衛生化源（４）から非無菌化廃棄物処分部位（１６）へ流れることができ、それによって第２のチューブ（１０）が除染される。
【００５１】
加えて、少なくとも３つのチューブ取り付けポイントを備える分配器がＴピース（２、３）として実現され、かつ弁として機能する少なくとも２つのポンプを更に備える場合、所与のチューブ内の流体の流れを停止させるためにポンプが一時停止し、それによってチュービングを閉鎖する必要があることを除いて、セットアップは、少なくとも２つの弁について上述したものと同一である。
【００５２】
本明細書に記載の装置の一実施形態では、エアギャップが、少なくとも１つの非無菌化廃棄物処分部位（１６）と、少なくとも１つの分配器の該少なくとも３つのチューブ取り付けポイントのうちの第２のチューブ取り付けポイントを非無菌化廃棄物処分部位（１６）と接続する第２のチューブ（１０）との間に存在する。
【００５３】
本明細書で使用する場合、用語「エアギャップ」とは、２点間に物理的な接続がないという事実を指す。
【００５４】
換言すれば、非無菌化廃棄物処分部位に関して、「エアギャップ」とは、非無菌化廃棄物処分部位（１６）に通じる接続が、該非無菌化廃棄物処分部位（１６）から物理的に離れていることを確実にするために採用される安全対策を指す。したがって、該エアギャップは、非無菌化廃棄物処分部位（１６）の表面に存在する汚染が、接続部、例えば、非無菌化廃棄物処分部位（１６）に通じるチュービングに入ることができず、代わりに、少なくとも理論的には、空気によって生じる汚染のみが、非無菌化廃棄物処分部位（１６）に通じる該接続部に入ることができることを確実にする。
【００５５】
上に記載の装置は、ユニット操作の装置である。
【００５６】
本明細書で使用する場合、用語「ユニット」または「ユニット操作」とは、生物薬剤学的かつ生物学的高分子製品の生産プロセスにおける１つのプロセスステップを行う装置、ならびにその特定の装置が行うプロセスを指す。換言すれば、最終的な生物薬剤学的かつ／または生物学的高分子製品を提供するために、生成物が所望の特性および／または純度を有するまで、いくつかのユニットが流体流によって通されなければならない。
【００５７】
本明細書で使用する場合、用語「モジュラー」とは、個々のユニット操作が、別々の相互接続されたモジュール中で実施することができることを意味する。モジュールは、予め構成され、細菌低減化され、かつ閉じられ、ならびに種々の組み合わせで相互接続され得る。
【００５８】
本明細書で使用する場合、用語「流路」とは、流体の流れが通過するかまたは接触している、あらゆるアセンブリまたは封じ込めを指す。例えば、第１のチューブ（９）、第２のチューブ（１０）、および第３のチューブ（１１）とは、流路を表す。
【００５９】
好ましくは、本明細書に記載する装置の上流製造プロセスの廃液を含有する第２のチューブ（１０）における流れが低いかまたはゼロである時間は、最小限に抑えられるか、または回避される。例えば、該低流量または０流量は、２時間を超えてはならない。しかしながら、全ての第２のチューブ（１０）が衛生化流体を含有する、すなわち、流体の流れが収集容器（１）から非無菌化廃棄物処分部位（１６）に向かって流れないという状況が起こり得る。
【００６０】
本願明細書に記載される装置の別の実施形態では、装置は、ユニット操作であり、かつエアギャップが、収集容器（１）の入口に存在する。
【００６１】
この実施形態は、上流ユニット操作から収集容器（１）に至る異なる廃棄ラインが、物理的に分離され、流体静力学的に分離されるという利点を有する。
【００６２】
一実施形態では、該エアギャップは、無菌化通気フィルタを使用して維持される。
【００６３】
したがってこの場合、エアギャップは病原体低減化状態を維持するために閉鎖されるが、上流ユニット操作から到着する流体は、エアギャップを介して収集容器内へ自由に落下する。無菌化フィルタは、エアギャップの無菌化通気を確実にする。
【００６４】
収集容器の入口に該エアギャップを備える装置の一例は、漏斗である。
【００６５】
好ましい実施形態では、装置は、少なくとも３つのチューブ取り付けポイントを備える２つ以上の分配器を備える。
【００６６】
この実施形態の一例では、装置は、少なくとも３つのチューブ取り付けポイントを備える２つの分配器を備え、該分配器の各々が２つの弁を備えることを特徴とする。
【００６７】
この実施形態の一例では、装置は、少なくとも３つのチューブ取り付けポイントを備える２つの分配器を備える。この実施形態の一例では、少なくとも３つのチューブ取り付けポイントを備える少なくとも２つの分配器は、衛生化源を共有する。しかしながら、少なくとも３つのチューブ取り付けポイントを備える各分配器が、別々の衛生化源を有することもまた可能である。
【００６８】
この実施形態の一例では、２つの第２のチューブ（１０）の一方は衛生化媒体を含有し、他方は非無菌化廃棄物処分部位（１６）に向かう流体の流れを含有するか、またはその逆である。本実施形態のこの特定の例は、所定の時点において、流体流が、少なくとも３つのチューブ取り付けポイントを備える第１の分配器を介して、収集容器（１）から非無菌化廃棄物処分部位（１６）へ直接流れることができるが、一方で、少なくとも３つのチューブ取り付けポイントを備える第２の分配器の第２および第３のチューブは除染されるので、収集容器（１）から非無菌化廃棄物処分部位（１６）への流れが中断されないという更なる利点を有する。中断されていない流れが、したがって、流体流の代替流路を介して達成されることで、流体流は、少なくとも３つのチューブ取り付けポイントを備える第２の分配器を介して収集容器（１）から非無菌化廃棄物処分部位（１６）へ直接流れることができるが、一方で、少なくとも３つのチューブ取り付けポイントを備える第１の分配器の第２および第３のチューブは除染される。これにより、収集容器（１）から廃棄物処分部位（１６）への連続した流体の流れを確保しつつ、同時に、他方の分配器の第２および第３のチューブの除染を行うことができる。
【００６９】
この流路の切り換えは、例えば、除染が完了した際に、または一定の時間間隔で行うことができる。
【００７０】
このような設定の一例では、装置は、少なくとも３つのチューブ取り付けポイントおよび合計３つのポンプを備える２つの分配器を備える。
【００７１】
本明細書で使用する場合、用語「中断されていない（ｕｎｉｎｔｅｒｒｕｐｔｅｄ）」とは、流体流が、中断することなく、少なくとも１つの非無菌化廃棄物処分部位（１６）へ着実に入ることができるように、少なくとも１つの流路が利用可能であるという事実を指す。
【００７２】
好ましい実施形態では、流体の流れと接触する全ての構成要素が、使い捨て可能な物品であるか、または使い捨て可能な物品として使用される。
【００７３】
本明細書で使用する場合、用語「使い捨て可能物品」とは、流体流と接触するそれぞれの構成要素、特に、機器、容器、フィルタ、および接続要素が、単回使用後に使い捨てるのに好適であって、これらの容器が、プラスチックおよび金属の両方から作製され得ることを意味する。本発明の範囲内では、用語はまた、本発明によるプロセスで一度だけ使用され、このプロセスでは再び使用されない、鋼製といった使い捨て可能物品も含んでなる。これらの使い捨て物品、例えば鋼製の物品もまた、したがって、「使い捨て可能物品として使用される」として指定される対象物として、本発明の範囲内で示される。このような使用済み使い捨て可能物品はまた、したがって、「使い捨て」または「単回使用」物品（「ＳＵ技術」）として、本発明に係る方法で示され得る。このようにして、本発明に係る方法およびモジュラーシステムの病原体低減化状態は、さらに改善される。
【００７４】
一実施形態では、本明細書に記載される装置は、非無菌化廃棄物処分部位（１６）を備える。
【００７５】
更に、本明細書に記載されるものはまた、上記の１つ以上の装置を備える生産プラントにも関する。
【００７６】
好ましくは、製造プラントは、モジュラーシステム（１）が閉鎖され微生物低減化されることを特徴とする、連続的な微生物低減化生産および／または生物薬剤学的な生物学的高分子製品の処理のためのモジュラーシステム（１）である。
【００７７】
本明細書で使用する場合、用語「連続的」とは、上流ステップの出口流体流（流体の流れ）が下流ステップへ輸送される、少なくとも２つの方法ステップおよび／またはユニット操作を直列に実施する方法を指す。下流ステップは、上流ステップが完了する前に流体の流れの処理を開始する。したがって、上流ユニットから下流ユニットへの流体の流れの連続的な運搬または移動とは、上流がシャットダウンする前に下流ユニットはすでに動作していること、すなわち、連続して接続された２つのユニットは、それらを流れる流体の流れを同時に処理することを意味する。
【００７８】
本明細書で使用する場合、用語「閉鎖（ｃｌｏｓｅｄ）」とは、「機能的閉鎖（ｆｕｎｃｔｉｏｎａｌｌｙ  ｃｌｏｓｅｄ）」および「完全閉鎖（ｃｏｍｐｌｅｔｅｌｙ  ｃｌｏｓｅｄ）」の両方を指す。
【００７９】
本明細書で使用する場合、用語「完全閉鎖」とは、流体流が部屋の環境に曝されないように製造プラントが操作されることを意味する。材料、物体、緩衝剤、および同様のものは、外部から追加することができるが、この追加は、流体流が部屋の環境へ曝されることが回避されるような方法で行われる。
【００８０】
用語「機能的閉鎖」とは、滅菌、無菌、または低生物汚染度のいずれであっても、適切であるかまたはプロセス要件と一致するような、洗浄、衛生化、および／または無菌化によって「閉鎖状態にされる」が、開放され得るプロセスを指す。これらのシステムは、システム内で製造中は閉鎖されたままとする。例としては、ＣＩＰおよびＳＩＰの使用の間にＣＩＰおよびＳＩＰし得るプロセス容器が挙げられる。クロマトグラフィーまたはいくつかの濾過システムといった非無菌化システムもまた、特定のシステムセットアップの間に適切な措置が取られるならば、低生物汚染度操作で閉鎖され得る。
【００８１】
一実施形態では、生物薬剤学的、生物学的高分子製品生成物は、ペプチド、たんぱく質、低分子薬剤、核酸からなる群より選択される少なくとも１つの成分を含んでなる。
【００８２】
本明細書で使用する場合、用語「ペプチド」とは、比較的短い長さ（例えば、５０未満のアミノ酸長）のアミノ酸のポリマーを指す。ポリマーは、直鎖状または分枝状であってもよく、修飾アミノ酸を含んでなってもよく、そして非アミノ酸によって中断されてもよい。この用語はまた、修飾されたアミノ酸ポリマーも包含する。これは例えば、ジスルフィド結合形成、グリコシル化、脂質化、アセチル化、リン酸化、またはあらゆる他の操作、例えば、蛍光マーカー、粒子、ビオチン、ビーズ、たんぱく質、放射性標識、化学発光タグ、生物発光標識、および同様のものといった、標識成分との結合などによるが、これらに限定されるものではない。
【００８３】
本明細書で使用する場合、用語「たんぱく質」とは、アミノ酸のポリペプチドを指す。この用語は、全長、野生型、またはその断片であり得る、たんぱく質を包含する。たんぱく質は、ヒト、非ヒト、ならびに天然アミノ酸ポリマーおよび非天然アミノ酸ポリマーと対応する天然アミノ酸の人工的または化学的模倣物であり得る。この用語はまた、修飾されたたんぱく質も包含する。これは例えば、ジスルフィド結合形成またはクラッキング、グリコシル化、脂質化、アセチル化、リン酸化、またはあらゆる他の操作、例えば、蛍光マーカー、粒子、ビオチン、ビーズ、たんぱく質、放射性標識、化学発光タグ、生物発光標識、および同様のものといった、標識成分との結合などによるが、これらに限定されるものではない。
【００８４】
好ましくは、たんぱく質は治療用たんぱく質である。
【００８５】
本明細書で使用する場合、用語「治療用たんぱく質」とは、組織、臓器、または該生物の系の、生物学的または医学的応答を誘導するために、生物へ投与することができるたんぱく質を指す。
【００８６】
更により好ましくは、たんぱく質は抗体である。
【００８７】
さらに、本明細書に記載されるものはまた、上記の装置を使用する、微生物低減化または無菌化プロセスからの非無菌化廃棄物除去のための方法にも関連する。
【００８８】
本態様の一実施形態では、微生物低減化または無菌化プロセスからの非無菌化廃棄物除去の方法は、微生物低減化または無菌化プロセスからの非無菌化廃棄物除去を開始する前に、装置を衛生化媒体でフラッシュするステップを含んでなる。
【００８９】
このようなステップは、使用前に装置の流路の汚染を防止するので、有利である。
【００９０】
好ましい実施形態（図１に示す）では、装置は、微生物低減下または無菌化プロセスからの非無菌化廃棄物除去のための方法において使用する前に、収集容器（１）（１）を備え、２つの分配器は、それぞれ、少なくとも３つのチューブ取り付けポイント（本明細書では、２つのＴピース（２、３））と、２組の弁とを備え、すなわち、第１の分配器は２つの弁（５、６）を備え、第２の分配器はまた２つの弁（７、８）も備える。第１のチューブ（９）は、弁（５）および（７）のそれぞれを介する２つのＴピース（２、３）のそれぞれの第１のアームを、別のＴピース（２、３）を介する収集容器（１）と接続する。第２のチューブ（１０）は、２つのＴピース（２、３）のそれぞれの第２のアームを互いに接続し、圧力センサ（１２）を備える。これは、図１において、装置が非無菌化廃棄物除去の方法で使用される前の状態で示されているためである。したがって、装置は、非無菌化廃棄物処分部位（１６）とまだ接続されていない。第３のチューブ（１１）は、弁（６）および（８）のそれぞれを介する２つのＴピース（２、３）のそれぞれの第３のアームを、１ＭのＮａＯＨを含んでなる本命最初の衛生化源（４）と、別のＴピース（２、３）の補助によって接続する。また、この装置は、すなわち、収集容器（１）における流体を混合するために用いられる３つのポンプ（１３）、ならびに収集容器（１）から第１のチューブ（９）および第２のチューブ（１０）へ、または衛生化源（４）から第２のチューブ（１０）および第３のチューブ（１１）へ、流体を吸引することができるポンプ（１４）および（１５）を備える。この例では、ポンプは流体の逆流を防止する。装置を使用する前に、完全な流路を、例えば分離ポンプ（１４）を介して衛生化媒体でフラッシュし、ポンプ（１５）を使用して、弁（５）および（８）を介して１ＭのＮａＯＨを収集容器（１）内へ吸引する。その間、弁（６）および（７）を閉鎖する。あるいは、弁（５）および（８）を閉鎖し、ポンプ（１４）を分離し、ポンプ（１５）を使用して１ＭのＮａＯＨを吸引する場合、弁（６）および（７）を介して衛生化媒体を吸引することもできる。流路のフラッシング、次いでフラッシングにより達成される脱気は、ある特定の量の衛生化媒体が適度に高い流量で収集容器（１）中へフラッシュされた場合、完了する。続いて、例えば圧力センサ（１２）を切り取ることによって、非無菌化廃棄物処分部位（１６）との接続が確立される。この例では、高圧を検出する安全上の理由から、フラッシング中に圧力センサ（１２）が使用される。
【００９１】
切断の代わりに、衛生化媒体によるフラッシング後、廃棄物処分部位との接続を確立するために断路器を使用することができる。
【００９２】
装置が少なくとも３つのチューブ取り付けポイントおよび１／２のチューブ（１０）を備える１つの分配器のみを備える設定では、疎水性または親水性の生物汚染度低減下フィルタを、非無菌化廃棄物処分部位（１６）との接続を確立するであろう第２のチューブ（１０）の端部に取り付けることができる。衛生化媒体を用いた装置の最初のフラッシングの間、フィルタもまた衛生化媒体でフラッシングされ、衛生化媒体でのフラッシングが完了した後に除去される。
【００９３】
装置の流路の除染を確実にするために必要な体積は、上述の装置のフラッシングに使用される体積を決定する。このステップの一例では、装置は、流路の保持体積の２０倍でフラッシュされる。
【００９４】
別の例では、上述の装置は、より大きな生産プラントの文脈におけるユニット操作である。詳細には、生産プラントは、いくつかの流路で構成されている。これらの流路のいくつかは、収集容器（１）へ至る前にプールされるが、単一の流路が収集容器（１）へ直接至ることもあり得る。収集容器（１）をスケールと接続することで、レベル監視および制御が可能となる。収集容器（１）からドレインへの液体の排出は、ある上部充填レベルによって引き起こされ、ある下部充填レベルに達することによって停止する。収集容器（１）は、収集容器（１）へ空気をポンピングする場合、収集容器（１）の破裂を防止するベントフィルタを備える。空気は密度が低いため、スケールで測定することができない。
【００９５】
図面
図１は、使用される前の、本発明記載の装置の一実施形態のプロセス図を模式的に示す。この例では、装置は、２０リットルを保持することができる、ＧＥ  Ｈｅａｌｔｈｃａｒｅの２０ＬのＨａｎｇｉｎｇ／Ｐｉｌｌｏｗ  Ｂａｇ収集容器（１）を備える。第１のチューブ（９）（９）（本明細書では、内径がどちらも１／４インチである、Ｃ−Ｆｌｅｘ３７４タイプおよびＰｈａｒｍｅｄ  ＢＰＴタイプ）は、弁（５）および（７）を介して、２つのＴピース（２、３）（２、３）のそれぞれの第１のアーム（本明細書では、ＡＣＲＯ  Ｖｅｒｓａｇｒｉｐ１４５０弁タイプ）を、収集容器（１）（１）と接続する。第２のチューブ（１０）は、２つのＴピース（２、３）のそれぞれの第２のアームを互いに接続し、圧力センサ（１２）（本明細書では、Ｐｅｎｄｏｔｅｃｈ単回使用圧力センサタイプ）を備える。Ｃ−Ｆｌｅｘ３７４およびＰｈａｒｍｅｄ  ＢＰＴから作られた第３のチューブ（１１）は、２つのＴピース（２、３）の各々の第３のアームを、それぞれ弁（６）および（８）を介して、本明細書では１ＭのＮａＯＨを含んでなる２００ＬのＳａｒｔｏｒｉｕｓ  Ｆｌｅｘｅｌ３Ｄバッグタイプである、衛生化源（４）と接続する。
【００９６】
その上、装置は、本明細書では、収集容器（１）内の流体を混合するために使用される、３つのポンプすなわち、蠕動ディスペンサーポンプ（１３）、ならびにこの例では流体の逆流を防止する蠕動ディスペンサーポンプ（１４）および（１５）を備える。
【００９７】
装置を使用する前に、完全装置を衛生化媒体でフラッシュする。
【００９８】
図２は、使用中の図１の装置の概略図を示す。詳細には、圧力センサ（１２）が除去されることで、第２のチューブ（１０）（それぞれ、１０ａおよび１０ｂ）が、少なくとも３つのチューブ取り付けポイントを備える分配器を、本明細書におけるドレインである、非無菌化廃棄物処分部位（１６）と接続する。
【００９９】
したがって、装置流体の第１の状態は、ポンプ（１４）によって、弁（５）を介して収集容器（１）から非無菌化廃棄物処分部位（１６）へ吸引することができる。この設定では、弁（５）は開放され、弁（７）および（６）は閉鎖される。さらに、ポンプ（１４）が収集容器（１）から非無菌化廃棄物処分部位（１６）に流体を吸引するとき、ポンプ（１５）が弁（８）を介して衛生化媒体を非無菌化廃棄物処分部位（１６）へ吸引することによって、この流路を除染するので、弁（８）は開放される。所定量の衛生化媒体が衛生化源（４）（本明細書では、チューブ（１０ｂ）および（１１）の充填量の１０倍）から吸引された後、このプロセスは、弁（６）および（７）が開放され、弁（５）および（８）が閉鎖されるように切り換えられる。
【図１】
2020506762.tif 000003
【図２】
2020506762.tif 000004
【手続補正書】
【提出日】平成30年11月30日(2018.11.30)
【手続補正１】
【補正対象書類名】図面
【補正対象項目名】図１
【補正方法】変更
【補正の内容】
【図１】
2020506762.tif 000005
【手続補正２】
【補正対象書類名】図面
【補正対象項目名】図２
【補正方法】変更
【補正の内容】
【図２】
2020506762.tif 000006
【国際調査報告】
2020506762.tif 000007
2020506762.tif 000008
2020506762.tif 000009